(57)【要約】【課題】タブレットＰＣの傾倒姿勢を切換可能でありながら、容易に製造可能なタブレットＰＣスタンドを提供する。【解決手段】タブレットＰＣ９の背面側を支持する第１板部１と、その第１板部１に薄肉ヒンジ部３を介して閉状態と開状態とに開閉自在に連結された第２板部２と、第１板部１と第２板部２とを開状態で相互に連結して開状態に保持する支持板片部５と、を備えた樹脂製一体ものの基台部材６を具備し、支持板片部５は複数の中間関節部50を有し、中間関節部50を折り曲げて、第１板部１と第２板部２との開き角度θを切換自在に構成した。【選択図】図９
2013171563.tif 000002
【特許請求の範囲】
【請求項１】
タブレットＰＣ（９）の背面側を支持する第１板部（１）と、該第１板部（１）に薄肉ヒンジ部（３）を介して閉状態と開状態とに開閉自在に連結された第２板部（２）と、上記第１板部（１）と上記第２板部（２）とを開状態で相互に連結して開状態に保持する支持板片部（５）と、を備えた樹脂製一体ものの基台部材（６）を具備し、
上記支持板片部（５）は複数の中間関節部（50）を有し、該中間関節部（50）を折り曲げて、上記第１板部（１）と上記第２板部（２）との開き角度（θ）を切換自在に構成したことを特徴とするタブレットＰＣスタンド。
【請求項２】
上記支持板片部（５）にスライド自在に外嵌状に取着して上記中間関節部（50）の折れ曲がりを規制する伸直保持部材（７）を備えた請求項１記載のタブレットＰＣスタンド。
【請求項３】
上記支持板片部（５）に上記伸直保持部材（７）をスライドさせて、該支持板片部（５）を側面視において一文字状姿勢とＶ字状姿勢とＺ字状姿勢とに切換自在とした請求項２記載のタブレットＰＣスタンド。
【請求項４】
上記第２板部（２）を門型に切り抜いて、上記支持板片部（５）を薄肉状の連結ヒンジ部（59）を介して上記第２板部（２）の開脚先端縁部（２ｂ）近傍から揺動自在に連設し、上記第１板部（１）と上記第２板部（２）と上記支持板片部（５）を樹脂製一体ものとした請求項１，２又は３記載のタブレットＰＣスタンド。
【請求項５】
上記第１板部（１）は、門型に切り抜いて薄肉状の揺動ヒンジ部（19）を介して揺動自在とした載置用突片部（11）を有する請求項１，２又は３記載のタブレットＰＣスタンド。
【請求項６】
上記載置用突片部（11）に滑り止め部材（81）を付設した請求項５記載のタブレットＰＣスタンド。
【発明の詳細な説明】
【技術分野】
【０００１】
本発明は、タブレットＰＣスタンドに関する。
【背景技術】
【０００２】
従来、液晶画面の表示部とタッチパネルから成る入力操作部を一体状に有するタブレットＰＣ（パーソナルコンピュータ）を、傾倒姿勢に支持するスタンドは、タブレットＰＣを保護する保護ケース部材に、ヒンジ機構を介して揺動支持部材を枢着させていた。（例えば特許文献１参照）。
【先行技術文献】
【特許文献】
【０００３】
【特許文献１】登録実用新案３１６０８１５号公報
【発明の概要】
【発明が解決しようとする課題】
【０００４】
しかし、保護ケース部材とヒンジ機構と揺動支持部材を連結する構成は、部品点数が多く、組立も煩雑で容易に製造できないといった問題があった。
【０００５】
そこで、本発明は、タブレットＰＣの傾倒姿勢を切換可能でありながら、容易に製造可能なタブレットＰＣスタンドの提供を目的とする。
【課題を解決するための手段】
【０００６】
上記目的を達成するために、本発明のタブレットＰＣスタンドは、タブレットＰＣの背面側を支持する第１板部と、該第１板部に薄肉ヒンジ部を介して閉状態と開状態とに開閉自在に連結された第２板部と、上記第１板部と上記第２板部とを開状態で相互に連結して開状態に保持する支持板片部と、を備えた樹脂製一体ものの基台部材を具備し、上記支持板片部は複数の中間関節部を有し、該中間関節部を折り曲げて、上記第１板部と上記第２板部との開き角度を切換自在に構成したものである。
また、上記支持板片部にスライド自在に外嵌状に取着して上記中間関節部の折れ曲がりを規制する伸直保持部材を備えたものである。
また、上記支持板片部に上記伸直保持部材をスライドさせて、該支持板片部を側面視において一文字状姿勢とＶ字状姿勢とＺ字状姿勢とに切換自在としたものである。
【０００７】
また、上記第２板部を門型に切り抜いて、上記支持板片部を薄肉状の連結ヒンジ部を介して上記第２板部の開脚先端縁部近傍から揺動自在に連設し、上記第１板部と上記第２板部と上記支持板片部を樹脂製一体ものとしたものである。
また、上記第１板部は、門型に切り抜いて薄肉状の揺動ヒンジ部を介して揺動自在とした載置用突片部を有するものである。
また、上記載置用突片部に滑り止め部材を付設したものである。
【発明の効果】
【０００８】
本発明によれば、部品点数が少なく、容易に製造でき、大量生産に好適である。不使用時は、薄く折り畳めて収納性及び携帯性に優れている。タブレットＰＣを、動画や写真の観賞、ホームページの観覧、タッチパネルによるキーボード文字入力操作等使用目的に応じた傾倒姿勢に切換えて保持できる。
【図面の簡単な説明】
【０００９】
【図１】本発明の実施の一形態の閉状態を示す正面図である。
【図２】実施の一形態の閉状態を示す背面図である。
【図３】図１のＡ−Ａ断面図である。
【図４】基台部材の展開状態の一例を示す正面図である。
【図５】関節伸直部材の一例を示す正面図である。
【図６】関節伸直部材の一例を示す側面図である。
【図７】図５のＢ−Ｂ断面図である。
【図８】関節伸直部材の取付構造を説明するための要部断面図であって、（ａ）は取付前状態の要部断面図であり、（ｂ）は取付途中状態の要部断面図であり、（ｃ）は取付完了状態の要部断面図である。
【図９】使用状態の一例を示す断面側面図である。
【図１０】使用状態の他の一例を示す断面側面図である。
【図１１】使用状態の別の一例を示す断面側面図である。
【図１２】使用状態のさらに別の一例を示す断面側面図である。
【図１３】揺動ヒンジ部の一例を示す要部拡大断面図であって、（ａ）は収納閉状態を示す要部拡大断面図であり、（ｂ）は揺動開状態を示す要部拡大断面図である。
【発明を実施するための形態】
【００１０】
以下、図示の実施形態に基づき本発明を詳説する。
本発明に係るタブレットＰＣスタンドは、図１乃至図４に示す実施の一形態のように、正面視長方形状（矩形状）の第１板部１と、正面視長方形状（矩形状）の第２板部２と、第１板部１と第２板部２とを一方の短縁部（基端縁部）１ａ，２ａで連結する薄肉ヒンジ部３と、を有し、図１乃至図３に示すように積み重なるように折り畳んだ閉状態と、図４に示すように一枚平板状に開いた開状態と、に開閉自在に設けられた樹脂製一体ものの基台部材６を備えている。
【００１１】
基台部材６は、第２板部２の中央部を門型に切り抜いて、第２板部２の開脚先端縁部（他方の短縁部）２ｂ近傍（側）から薄肉状の連結ヒンジ部59を介して揺動自在に連設される支持板片部５を有している。基台部材６は、図９に示すように、第１板部１と第２板部２とを開状態で相互に連結して開状態に保持するものである。
【００１２】
図９に於て、支持板片部５は、揺動先端部に、第１板部１の内面１ｆから突設された側面視Ｌ字状の係止突片部13が抜き差し自在に差し込まれる係合凹部53ａを有する係止用膨出部53を備えている。また、連結ヒンジ部59と係止用膨出部53の間に、２つの薄肉状の中間関節部50，50を有している。２つの中間関節部50，50は、連結ヒンジ部59（揺動基端部）寄りの第１中間関節部50Ａと、係止用膨出部53（揺動先端部）寄りの第２中間関節部50Ｂである。連結ヒンジ部59と第１中間関節部50Ａの間を第１節部５ａ、第１中間関節部50Ａと第２中間関節部50Ｂの間を第２節部５ｂ、第２中間関節部50Ｂと係止用膨出53の間を第３節部５ｃと呼ぶ。
【００１３】
図３に於て、連結ヒンジ部59の屈折点から第１中間関節部50Ａの屈折点まで第１間隔寸法Ｌ１と、第１中間関節部50Ａの屈折点から第２中間関節部50Ｂの屈折点までの第２間隔寸法Ｌ２と、第２中間関節部50Ｂの屈折点から係止用膨出部53までの第３間隔寸法Ｌ３を、相違させている。また、第２間隔寸法Ｌ２を３つの内で最も短く設定している。
また、連結ヒンジ部59と第１中間関節部50Ａと第２中間関節部50Ｂは、左右方向に沿った薄肉形成用溝部によって形成されている。連結ヒンジ部59と第１中間関節部50Ａと第２中間関節部50Ｂとに対応する各薄肉形成用溝部を、第２板部２の外面２ｅ側と内面２ｆ側に交互に設けている。
【００１４】
図２と図３に於て、支持板片部５には、中間関節部50の折れを規制する樹脂製の伸直保持部材７が、スライド自在に外嵌状に取着している。
伸直保持部材７は、支持板片部５の長手方向に沿った関節規制有効長さ寸法Ｌ７を、第３間隔寸法Ｌ３よりも短く設定している。つまり、伸直保持部材７を、係止用膨出部53に当接させた場合に、第１・第２中間関節部50Ａ，50Ｂの折れ曲がりを規制しないように設けている。
また、図９に示すように、関節規制有効長さ寸法Ｌ７を、第２間隔寸法Ｌ２よりも長く設定している。つまり、１つの伸直保持部材７で、２つの中間関節部50，50の折れ曲がりを規制可能に設けている。
支持板片部５は、伸直保持部材７が第１中間関節部50Ａと第２中間関節部50Ｂの折れ曲がりを規制する位置で、伸直保持部材７に当接して位置決めする位置決め凸部55を有している。
【００１５】
ここで、伸直保持部材７の支持板片部５への取付構造（取付方法）について説明する。
伸直保持部材７は、図５乃至図７に示すように、左右両端部に横断面コの字状の抱き込み部70を有している。
支持板片部５は、図４に示すように、第１中間関節部50Ａの左右両端縁部及びその近傍を切り欠いた取付用切欠部54を有している。なお、図４に於ては、伸直保持部材７を取着していない基台部材６を図示している。
先ず、図４に示すような支持板片部５の起立基準姿勢から、図８（ａ）に示すように、支持板片部５の第１中間関節部50Ａを略９０度内方へ折り曲げる。そして、図８（ｂ）に示すように、伸直保持部材７の（抱き込み部70）を取付用切欠部54から、支持板片部５の側縁部を抱き込むようにスライドさせて、係止用膨出部53側へ差し込む。図８（ｃ）に示すように第１中間関節部50Ａを通過させる。図８（ｄ）に示すように、支持板片部５を一文字状の起立基準姿勢に戻して、支持板片部５に取着が完了した状態となる。なお、図８に示す伸直保持部材７は、図７のＣ―Ｃ端面図（抱き込み部70の端面図）である。
【００１６】
そして、図９に示ように、基台部材６は、倒立Ｖ字状に配設され、伸直保持部材７で第１中間関節部50Ａと第２中間関節部50Ｂの折れ曲がりを規制して支持板片部５を一文字状姿勢とし、第１板部２と第２板部２を相互に連結して開状態を保持した第１姿勢で、タブレットＰＣ９を支持可能である。
この第１姿勢において、第１板部１と第２板部２との開き角度θを、第１開き角度θ１と呼ぶ。また、第１板部１に背面側が支持されたタブレットＰＣ９の傾倒角度（タブレットＰＣの表て面と設置面Ｇの間の角度）αを、第１傾倒角度α１と呼ぶ。第１傾倒角度α１は、６０度以上８５度未満とするのが好ましい。
【００１７】
また、図10に示すように、基台部材６は、第２板部２を設置面Ｇと平行状に配設した横倒Ｖ字状に配設し、伸直保持部材７で第１中間関節部50Ａと第２中間関節部50Ｂの折れ曲がりを規制して支持板片部５を一文字状姿勢とし、第１板部１と第２板部２を相互に連結して、開き角度θを第１開き角度θ１で開状態に保持した第２姿勢で、タブレットＰＣ９を第１傾倒角度α１よりも小さな第２傾倒角度α２をもって支持可能である。第２傾倒角度α２は、３５度以上５５度以下とするのが好ましい。
【００１８】
また、図11に示すように、伸長保持部材７で第２中間関節部50Ｂの折れ曲がりを規制すると共に第１中間関節部50Ａを折り曲げて支持板片部５をＶ字状（Ｌ字状）姿勢とし、第１板部１と第２板部２を第１・２姿勢よりも相互接近させて連結して、第１開き角度θ１よりも小さい第２開き角度θ２で開状態を保持した第３姿勢で、タブレットＰＣ９を第２傾倒角度α２よりも小さな第３傾倒角度α３をもって支持可能である。第３傾倒角度α３は、２５度以上４５度以下とするのが好ましい。
【００１９】
さらに、図12に示すように、伸長保持部材７で中間関節部50，50の折り曲げを規制せず、第１中間関節部50Ａと第２中間関節部50Ｂを相互に異なる方向に折り曲げて支持板片部５をＺ字状姿勢とし、第１板部１と第２板部２を第３姿勢よりも相互接近させて連結して、第２開き角度θ２よりも小さい第３開き角度θ３で開状態を保持した第４姿勢で、タブレットＰＣ９を第３傾倒角度α３よりも小さな第４傾倒角度α４をもって支持可能である。１５度以上３５度以下とするのが好ましい。
【００２０】
つまり、基台部材６は、支持姿勢を、倒立Ｖ字状姿勢と、くの字状（横倒れＶ字状）姿勢とに、切換え自在としている。さらに、くの字状姿勢において、支持板片部５を、側面視で、一文字状姿勢とＶ字状姿勢とＺ字状姿勢とに切換自在とし、開き角度θを、第１開き角度θ１（３５度以上５５度以下）、第２開き角度θ２（２５度以上４５度以下）、第３開き角度θ３（１５度以上３５度以下）、の３段階に切換自在としている。また、ＰＣタブレット９の傾倒角度（支持角度）αを４段階に切換自在としている。
【００２１】
また、図５と図６に於て、伸直保持部材７は、抱き込み部70の長手方向（スライド方向）一端側に、当り勾配面70ａを有している。当り勾配面70ａは、図12の第４姿勢で第２節部５ｂに当接して折れ曲がりを規制して、第２節部５ｂと第３節部５ｃの間の折れ曲がり角度を所定の角度に保持している。なお、抱き込み部70の長手方向一端側とは、図３に示すように、支持板片部５への取着状態で、連結ヒンジ部59側である。また、当り勾配面70ａは基台部材６の閉状態で内面２ｆ側に配設される。
【００２２】
また、図５と図６に於て、伸直保持部材７は、抱き込み部70から左右外方に突出する一対の当り突部72，72を有している。
当り突部72は、図11の第３姿勢及び図12の第４姿勢で、第２板部２の内面２ｆ側の切抜開口部の開口側縁部２ｇ，２ｇに当接する当り傾斜面72ａを有している。支持板片部５が直接的に設置面Ｇに接触するのを防止している。なお、切抜開口部とは、支持板片部５を形成するために切り抜いた箇所である。
また、第４姿勢で、第２板部２の開口側縁部２ｇ，２ｇに突設されたストッパー部29，29（図４参照）に当接する当り面72ｂを有している。つまり、第４姿勢において、伸長保持部材７の開脚先端縁部２ｂ側への滑りを防止している。
【００２３】
また、図５と図６に於て、伸直保持部材７は、抱き込み部70から左右外方に突設する一対の当り片部71，71を有している。
図２に示すように、当り片部71は支持板片部５に取着した状態で、内面２ｆ側の開口側縁部２ｇ，２ｇに当接して、支持板片部５が第２板部２の外面２ｅから突出状に揺動するのを阻止している。
また、図２に示すように、第２板部２の切抜開口部近傍には、支持板片部５に伸直保持部材７が取着している状態で、伸直保持部材７の当り突部72が、第２板部２に干渉するのを避けるための逃がし切欠部28が形成されている。
【００２４】
また、図１と図３と図４に於て、第１板部１は、第１板部１を門型に切り抜いて薄肉状の揺動ヒンジ部19を介して揺動自在とした載置用突片部11を、２つ有している。
第１載置用突片部11（11Ａ）は、開脚先端縁部１ｂ寄りに配設され、コの字状の切り抜きによって形成され、開脚先端縁部１ｂ近傍（側）から第１揺動ヒンジ部19Ａを介して揺動自在に連設されている。
第２載置用突片部11（11Ｂ）は、基端縁部１ａ寄りに配設され、コの字状の切り抜きによって形成され、基端縁部１ａ近傍（側）から第２揺動ヒンジ部19Ｂを介して揺動自在に連設されている。
【００２５】
揺動ヒンジ部19は、表て面１ｅ側に左右方向のＶ字状溝90を形成して薄肉部状としたものである。図13に於て、Ｖ字状溝90によって、溝内に、載置用突片部11側の第１傾斜内面91と、載置用突片部11が切り抜かれていない第１板部１の残部側の第２傾斜内面92と、が形成されている。
図13（ａ）の収納閉状態から、図13（ｂ）に示す揺動開状態とした場合に、第１傾斜内面91が、第２傾斜内面92に当接して、載置用突片部11の揺動を規制して、載置面11ｄが第１板部１の表て面１ｅに対して直交平面状となるように構成されている。つまり、Ｖ字状溝90の開口角度（第１傾斜内面91と第２傾斜内面92の間の角度）を略直角（７５°〜１０５°）に形成している。
【００２６】
載置用突片部11は、第１板部１に面一状となる収納閉状態と、図９乃至図12に示すように前方に揺動した揺動開状態とに揺動自在に設けられている。そして、揺動開状態でタブレットＰＣ９が載置される載置面11ｄ（閉状態で内面側）に、滑り止め部材81を付設している。また、載置用突片部11の揺動先端縁部に、載置したタブレットＰＣ９の滑落を防止する係止用の凸部12を突設している。
【００２７】
また、第１板部１と第２板部２との閉状態を保持するロック手段60を備えている。
図４に於て、ロック手段60は、第１板部１の内面１ｆに突設された軸状の差込凸部61と、第２板部２の内面２ｆに突設された円環状凸部63によって形成され閉状態で差込凸部61と対面状となる受け凹部62と、から成る。差込凸部61の外周面と受け凹部62の内面（円環状凸部63）との摩擦力によって、不用意に開状態となるのを阻止するように設けている。
なお、第１板部１に受け凹部62を設け、第２板部２に差込凸部61を設けても良い。
【００２８】
また、図１に於て、第１板部１は、表て面１ｅ側の中央部に、広告やデザイン等を表示するための表示平面部14（14Ａ）を有している。具体的には、広告やデザインが描かれたシート部材を貼着可能、或いは、広告やデザイン等を直接的に印刷等で描くことが可能な平面部である。なお、収納閉状態の収納載置用突片部11の表て面側も、表示平面部14（14Ｂ）である。また、中央部の表示平面部14Ａに、広告やデザイン等が描かれたシール材や紙等のシート部材を貼着することで、係止突片部13の成形のために第１板部１に貫設された抜き用窓部18、及び、閉状態で第１板部１と係止用膨出部53との干渉を防止するために第１板部１に貫設された逃がし用窓部17と、を表て面１ｅ側から見て隠すことができ、美観がより向上する。
【００２９】
また、第１板部１の表て面１ｅ側に、タブレットＰＣ９の滑りを防止するための高摩擦部材82を貼着している。具体的には、第１板部１の開脚先端縁部１ｂ寄りに貼着された第１高摩擦部材82Ａと、第１板部１の基端縁部１ａ寄りに貼着された第２高摩擦部材82Ｂと、である。言い換えると、第１載置用突片部11Ａを正面視で包囲するように貼着された第１高摩擦部材82Ａと、第２載置用突片部11Ｂを正面視で包囲するように貼着された第２高摩擦部材82Ｂとである。
【００３０】
また、第１板部１の開脚先端縁部１ｂに、図９の第１姿勢において、第１板部１と設置面Ｇとの間の滑りを防止するための第１摩擦抵抗部材83を貼着している。なお、図示の実施形態においては、第１摩擦抵抗部材83と、第１高摩擦部材82Ａと、を同じ材質の１枚のシート状にして第１板部１に貼着している。
また、第２板部２の開脚先端縁部２ｂに、第１姿勢において、第２板部２と設置面Ｇとの間の滑りを防止するための第２摩擦抵抗部材84を貼着している。
また、第２板部２の外面２ｅに、第２乃至第４姿勢において、第２板部２と設置面Ｇとの間の滑りを防止するための複数の丸山型の滑り抵抗部材85を貼着している。
なお、滑り止め部材81、高摩擦部材82、第１摩擦抵抗部材83、第２摩擦抵抗部材84、滑り抵抗部材85は、エラストマー等のゴムやシリコン、人工皮革等の摩擦抵抗の高い材質（高摩擦抵抗材）で形成されていれば良い。
【００３１】
次に、本発明のタブレットＰＣスタンドの実施の一形態の使用方法（作用）について説明する。
図９に示すように、基台部材６を第１姿勢とし、第１載置用突片部11Ａを揺動開状態かつ第２載置用突片部11Ｂを収納閉状態にして、タブレットＰＣ９の背面側を第１板部１の表て面１ｅで支持すると共に、タブレットＰＣ９の一外側面を第１載置用突片部11Ａで支持する。タブレットＰＣ９を操作する操作力を受けても、伸直保持部材７によって、中間関節部50は折れ曲がらずに、第１板部１と第２板部２との開き角度θを第１開き角度θ１に確実に保持する。また、第１載置用突片部11Ａの凸部12及び滑り止め部材81によって、第１載置用突片部11ＡからタブレットＰＣ９の滑落が防止される。また、表て面１ｅ側の高摩擦部材82によって、タッチパネルを指で上下左右方向に滑らせるように操作しても、位置ズレが防止される。
この第１姿勢（第１傾倒角度α１）は、正面視長方形状のタブレットＰＣ９の長手方向を略上下方向とした縦置き支持に適している。より具体的には、音楽の再生、或いは、プレゼンテーションの際に、画像や文字データを離れた複数の人に見てもらう場合に最適である。
【００３２】
また、第１姿勢から、基台部材６を寝かせて、図10に示すように、基台部材６を第２姿勢とし、第１載置用突片部11Ａを収納閉状態かつ第２載置用突片部11Ｂを揺動開状態にして、タブレットＰＣ９を第１板部１と第２載置用突片部11Ｂで支持する。第１姿勢と同様に、第１開き角度θ１に確実に保持される。また、第２載置用突片部11Ｂの凸部12及び滑り止め部材81によって、タブレットＰＣ９の滑落が防止され、高摩擦部材82によって位置ズレが防止される。
この第２姿勢（第２傾倒角度α２）は、タブレットＰＣ９の長手方向を略左右方向とした横置き支持に適している。より具体的には、動画の再生、或いは、画像や文字データを近隣の人に見てもらう場合に最適である。
【００３３】
また、第２姿勢から、伸直保持部材７を第１板部１側へスライドさせて、図11に示すように、基台部材６を第３姿勢とする。タブレットＰＣ９は第２姿勢と同様に滑落や位置ズレが防止される。伸直保持部材７によって第２中間関節部50（50Ｂ）の折れ曲がりは規制され、第２開き角度θ２に確実に保持される。
この第３姿勢（第３傾倒角度α３）は、タブレットＰＣ９の横置き支持に適している。例えば、使用者が起立姿勢で表示部を見ると共に、タッチパネルに指を滑らせてページ送り等の表示切換操作を頻繁に行なう場合に最適である。より具体的には、ホームページに記載されているレシピを見ながら料理をつくる場合等である。
【００３４】
また、第３姿勢から、伸直保持部材７を第１板部１側へスライドさせて、図12に示すように、基台部材６を、第４姿勢とする。タブレットＰＣ９は第２姿勢と同様に滑落や位置ズレが防止される。また、伸直保持部材７の当り突部72（図５参照）が第２板部２のストッパー部29（図４参照）に当接し、伸直保持部材７の当り勾配面70ａに第２節部５ｂが当接して、第３開き角度θ３に確実に保持される。
この第４姿勢（第４傾倒角度α４）は、タブレットＰＣ９の横置き支持に適している。例えば、タッチパネルを強く叩くような操作を行なう場合に適している。より具体的には、表示部にキーボード（文字キーボタン）を表示させ、タッチパネルによって文字入力を頻繁に行なう場合等である。目線が低くて首や目が疲れにくいと共に手首も疲れにくい。
【００３５】
また、第１〜４姿勢において、タブレットＰＣ９を直接的に容易に手に取ることができる。つまり、基台部材６に対して取り外し自在と言える。
そして、不使用時は、ロック手段60によって不用意に開状態となるのが防止され、薄板状となって、持ち運びが容易で、カバンや引き出し等への収納も容易である
【００３６】
なお、本発明は、設計変更可能であって、支持板片部５や載置用突片部11の切り抜き形状は、Ｕ字状は半円弧状等の舌片状とするも良い。なお、タブレットＰＣ９とは、ＬＥＤ液晶画面や有機ＥＬ画面等の表示部と、表示部に対応したタッチパネルから成る入力操作部が、一体状の設けられた薄い平板状のパーソナルコンピュータ（ＰＣ）である。また、本発明に於て、貼着とは、接着、粘着、溶着、融着も含む。
【００３７】
以上のように、本発明のタブレットＰＣスタンドは、タブレットＰＣ９の背面側を支持する第１板部１と、第１板部１に薄肉ヒンジ部３を介して閉状態と開状態とに開閉自在に連結された第２板部２と、第１板部１と第２板部２とを開状態で相互に連結して開状態に保持する支持板片部５と、を備えた樹脂製一体ものの基台部材６を具備し、支持板片部５は複数の中間関節部50を有し、中間関節部50を折り曲げて、第１板部１と第２板部２との開き角度θを切換自在に構成したので、部品点数が少なく、容易に製造でき、大量生産に好適である。不使用時は、薄く折り畳めて収納性及び携帯性に優れている。タブレットＰＣ９を、動画や写真の観賞、ホームページの観覧、タッチパネルによるキーボード文字入力操作等使用目的に応じた傾倒姿勢（傾斜角度）を切換できる。
【００３８】
また、支持板片部５にスライド自在に外嵌状に取着して中間関節部50の折れ曲がりを規制する伸直保持部材７を備えたので、支持板片部５を折曲げ自在としながらも、タブレットＰＣ９への操作力に負けない、強い剛性をもって、所定の開き角度θに確実に保持できる。支持板片部５を様々な姿勢にすることで、開き角度θを切り換えることができる。また、伸直保持部材７を樹脂製とすると、ポリプロピレン等の樹脂製の２部品でタブレットＰＣ９を支持可能に構成でき、樹脂成形用金型を用いた大量生産に好適である。
【００３９】
また、支持板片部５に伸直保持部材７をスライドさせて、支持板片部５を側面視において一文字状姿勢とＶ字状姿勢とＺ字状姿勢とに切換自在としたので、開き角度θを３段階に切り換えることができる。支持板片部５から伸直保持部材７を取り外さずに支持板片部５の姿勢を切換でき、伸直保持部材７の紛失の虞を軽減できる。
【００４０】
また、第２板部２を門型に切り抜いて、支持板片部５を薄肉状の連結ヒンジ部59を介して第２板部２の開脚先端縁部２ｂ近傍から揺動自在に連設し、第１板部１と第２板部２と支持板片部５を樹脂製一体ものとしたので、樹脂製の金型の作成が容易であると共に、成形が容易で、さらに、基台部材６の組立が不要で、大量生産に好適である。不使用時は基台部材６を薄型平板状にでき、携帯性及び収納性に優れている。
【００４１】
また、第１板部１は、門型に切り抜いて薄肉状の揺動ヒンジ部19を介して揺動自在とした載置用突片部11を有するので、タブレットＰＣ９を安定して保持できる。基台部材６を樹脂製の金型で容易に製造できる。不使用時は基台部材６を薄型平板状にでき、携帯性及び収納性に優れている。
【００４２】
また、載置用突片部11に滑り止め部材81を付設したので、タブレットＰＣ９が位置ズレすることなく、より安定的に支持できる。
【符号の説明】
【００４３】
１  第１板部
２  第２板部
２ｂ  開脚先端縁部
３  薄肉ヒンジ部
５  支持板片部
６  基台部材
７  伸直保持部材
９  タブレットＰＣ
11  載置用突片部
19  揺動ヒンジ部
50  中間関節部
59  連結ヒンジ部
81  滑り止め部材
θ  開き角度
【図１】
2013171563.tif 000003
【図２】
2013171563.tif 000004
【図３】
2013171563.tif 000005
【図４】
2013171563.tif 000006
【図５】
2013171563.tif 000007
【図６】
2013171563.tif 000008
【図７】
2013171563.tif 000009
【図８】
2013171563.tif 000010
【図９】
2013171563.tif 000011
【図１０】
2013171563.tif 000012
【図１１】
2013171563.tif 000013
【図１２】
2013171563.tif 000014
【図１３】
2013171563.tif 000015